(57)【要約】      （修正有）【課題】監視カメラによるプライバシーの侵害の問題をほとんど無くし、同時に監視カメラ等からの映像を記録する時間を大きく減少させる。【解決手段】映像中の監視対象物の要素部位で解析できるスマートカメラシステム即ち知的映像解析システムを利用した知的映像監視システムによって、もしくは従来の映像監視システムにスマートカメラシステム即ち知的映像解析システムを付加して構成される知的映像監視システムは危険や異常等の監視項目をシステム内部で自動的に判定を行わせることができ監視員の監視作業の負荷を低減でき、さらに限定された映像記録によりプライバシー侵害にも対応できる映像監視システムを提供する。【選択図】図３
2006287883.tif 000002
【特許請求の範囲】
【請求項１】
監視カメラからの映像を記録する記録装置、該映像を表示する表示装置、該映像を紙面等に印刷するプリンター装置及びこれらを繋ぐ通信手段を持ち前記各装置の働きを制御するコンピュータシステムを具備するシステム統合サーバからなる映像監視システムにおいて、該コンピュータシステムにスマートカメラシステム即ち知的映像解析システムを移植することによって判断機能を持った映像監視システムを構成し、該コンピュータシステムの記憶機能部分に監視対象物の各部分部分の動きや状態のパターンを監視基準として前もって記憶させておき、監視地点に設置された該監視カメラから送られて来た映像を該知的映像解析システムを使って解析し、該監視基準である動きや状態のパターンと比較し、設定した動きや状態のパターンと一致した場合に危険等を知らせるために警報装置を該コンピュータシステムが起動させ、該表示装置にその映像と共に危険であることを表示させ、該映像の一定時間前からの記録を開始させ、そして警報音を使って監視員に知らせ、同時に関係者、関係機関に自動的に該記録した映像と共に通報するシステムであって、監視対象物の部分部分の動きや状態を解析し、あらかじめ設定した監視基準と対比させ危険等の判定を行い、警報等の通知をし、該限定した映像記録によるプライバシー侵害を極力なくすことのできるスマートカメラシステム即ち知的映像解析システムを具備したことを特長とする映像監視システム。
【請求項２】
監視カメラからの映像を記録する記録装置、該映像を表示する表示装置、該映像を紙面等に印刷するプリンター装置及びこれらを繋ぐ通信手段を持ち前記各装置の働きを制御するコンピュータシステムを具備するシステム統合サーバからなる映像監視システムにおいて、該コンピュータシステムにスマートカメラシステム即ち知的映像解析システムを移植することによって判断機能を持った映像監視システムを構成し、該コンピュータシステムの記憶機能部分に監視対象物の各部分部分の動きや状態のパターンを監視基準として前もって記憶させておき、監視地点に設置された該監視カメラから送られて来た映像を該知的映像解析システムを使って解析して、対象物の各部分の動きや状態、例えば人物であれば事故もしくは事件に繋がる手、足、顔、胴体等の動きや倒れているもしくは手をポケットに入れている等の状態を比較し、監視基準として設定した動きや状態のパターンと一致した場合に危険等を知らせるための警報装置を該コンピュータシステムが起動させ、該表示装置にその映像と共に危険であることを表示させ、該映像の一定時間前からの記録を開始させ、そして警報音を使って監視員に知らせ、同時に関係者、関係機関に自動的に通報するシステムであって、監視対象物を人物としその動きや状態を解析し、あらかじめ設定した監視基準と対比させ危険等の判定を行い、警報等の通知をし、該限定した映像記録によるプライバシー侵害を極力なくすことのできるスマートカメラシステム即ち知的映像解析システムを具備したことを特長とする人物監視のための映像監視システム。
【請求項３】
監視カメラからの映像を記録する記録装置、該映像を表示する表示装置、該映像を紙面等に印刷するプリンター装置及びこれらを繋ぐ通信手段を持ち前記各装置の働きを制御するコンピュータシステムを具備するシステム統合サーバからなる映像監視システムにおいて、該コンピュータシステムにスマートカメラシステム即ち知的映像解析システムを移植することによって判断機能を持った映像監視システムを構成し、該コンピュータシステムの記憶機能部分に監視対象物の各部分部分の動きや状態のパターンを監視基準として前もって記憶させておき、監視地点に設置された該監視カメラから送られて来た映像を該知的映像解析システムを使って解析して、該監視基準である動きや状態のパターン、即ち対象物の各部分の動きや状態、例えば自然災害等における増水で荒れた河川等の流れと飛沫のごとき各部分部分の動きやその状態または崖崩れの土砂の流れと落石の動きや状態等と比較し、設定した動きや状態のパターンと一致した場合に危険等を知らせるための警報装置を該コンピュータシステムが起動させ、該表示装置にその映像と共に危険であることを表示させ、該映像を記録させ、さらに警報音を使って監視員に知らせ、同時に関係者、関係機関に自動的に通報するシステムであって、監視対象物を自然災害の事象とし、その動きや状態を解析し、あらかじめ設定した監視基準と対比させ危険等の判定を行い、警報等の通知をすることを可能とするスマートカメラシステム即ち知的映像解析システムを具備したことを特長とする自然災害監視を行う映像監視システム。
【請求項４】
監視カメラからの映像を記録する記録装置、該映像を表示する表示装置、該映像を紙面等に印刷するプリンター装置及びこれらを繋ぐ通信手段を持ち前記各装置の働きを制御するコンピュータシステムを具備するシステム統合サーバからなる映像監視システムにおいて、該コンピュータシステムにスマートカメラシステム即ち知的映像解析システムを移植することによって判断機能を持った映像監視システムを構成し、該コンピュータシステムの記憶機能部分に監視対象物の各部分部分の動きや状態のパターンを監視基準として前もって記憶させておき、監視地点に設置された監視カメラから送られて来た映像を該知的映像解析システムを使って解析して、該監視基準である動きや状態のパターン、即ち対象物の各部分の動きや状態と比較し、設定した動きや状態のパターンが一致した場合に危険等を知らせるための警報装置を該コンピュータシステムが起動させ、該表示装置にその映像と共に危険であることを表示させ、もしくは警報音を使って監視員に知らせ、同時に関係者、関係機関に自動的に通報するシステムであって、該コンピュータシステムを監視地点にある監視カメラ側に設置することにより危険等を知らせる監視カメラからのみの映像情報を送信することで複数の監視カメラがあっても通信回線が少なくて済む。このように該コンピュータシステムを監視地点にある監視カメラ側に設置したことを特徴とする映像監視システム。
【請求項５】
（請求項４）であって該コンピュータシステムが監視地点にあることを利用して送受信回線にインターネットを利用し映像を監視室へ常時送信を可能としたインターネット利用による映像監視システム。
【請求項６】
監視カメラからの映像を記録する記録装置、該映像を表示する表示装置、該映像を紙面等に印刷するプリンター装置及びこれらを繋ぐ通信手段を持ち前記各装置の働きを制御するコンピュータシステムを具備しシステム統合サーバからなる映像監視システムにおいて、該コンピュータシステムにスマートカメラシステム即ち知的映像解析システムを移植することによって判断機能を持った映像監視システムを構成し、該コンピュータシステムの記憶機能部分に監視対象物の各部分部分の動きや状態のパターンを監視基準として前もって記憶させておき、監視地点に設置された監視カメラから送られて来た映像を該知的映像解析システムを使って解析し、該監視基準である動きや状態のパターン、即ち対象物の各部分の動きや状態と比較し、設定した動きや状態のパターンが一致した場合に表示装置にその映像と共に警報等の信号を表示させ、同時に関係者、もしくは関係機関に自動的に通報するシステムであって、監視対象を本体とその付属物、例えば人とその持ち物である鞄、又は自動車とその積載物や所属物等を個別に監視し人から鞄が離れて置き忘れと判断したとき、自動車から付属物等が分離、放置された時即ち品物の放棄時点に警報等をその映像と共に監視室に自動送信し、かつ関係機関に知らせる。監視地点では拡声器等によりその場で直接警告を出す手段をもつなどの不法投棄監視及び忘れ物監視用映像監視システム。
【請求項７】
（請求項１）から（請求項６）の監視カメラに代えてカメラ機能付き携帯電話を利用し、該カメラつき携帯電話からの監視地点の映像を該知的映像解析システムを使い解析し危険や災害の監視に利用するもので、かつ監視室より電話回線を通して該携帯電話の立ち上げや監視映像の確認ができるカメラ付き携帯電話を具備した映像監視システム。
【請求項８】
（請求項７）であって該カメラつき携帯電話にＧＰＳの機能を具備させることにより、また（請求項１）から（請求項６）の映像監視システムの監視カメラにＧＰＳ装置を付属させることにより山地等未開地即ち通信関連の設備が十分でない場所に監視地点を設置する場合にＧＰＳの情報によって監視カメラの地理的位置が明らかとなり設置場所の選択の自由さ、簡易さから設置の時間と費用を低減できる。ＧＰＳ機能を付属したカメラつき携帯電話もしくは監視カメラにＧＰＳ装置を付属したＧＰＳ装置付帯映像監視システム。
【請求項９】
監視カメラからの映像を記録する記録装置、該映像を表示する表示装置、該映像を紙面等に印刷するプリンター装置及びこれらを繋ぐ通信手段を持ち前記各装置の働きを制御するコンピュータシステムを具備するシステム統合サーバからなる映像監視システムにおいて、該コンピュータシステムにスマートカメラシステム即ち知的映像解析システムを移植することによって判断機能を持った映像監視システムを構成し、該コンピュータシステムの記憶機能部分に監視対象物の各部分部分の動きや状態のパターンを監視基準として前もって記憶させておき、監視地点に設置された該監視カメラから送られて来た映像を該知的映像解析システムを使って解析して、該監視基準である動きや状態のパターン、即ち対象物の各部分の動きや状態、例えば事故もしくは事件に繋がる手、足、顔、胴体等の動きや倒れているもしくは手をポケットに入れている等その状態と比較し、記憶させた動きや状態のパターンと一致した場合に危険等を知らせる手段即ち該コンピュータシステムが警報装置を起動させ、該表示装置にその映像と共に危険であることを表示させ、もしくは警報音を使って監視員に知らせ、同時に関係者、関係機関に自動的に通報するシステムであって、介護もしくは保護を必要とする人々の日常の動きや状態を監視対象にして危険状態、例えばトイレや浴室の入り口ドアーを閉めてから設定された時間を超えて出てこない時等また危険状態等例えば転倒したり食べた物を吐いたりベッドから転落した等の該監視映像を解析し記憶した内容と比較し危険状態もしくは危険行為等のあった時に即時にナースステーション等に判定時の少し前からの映像と共に警報を自動的に送信できるようにし映像による通常生活のプライバシーの侵害を極力少なくし、異常と判断した時にすばやくナースに連絡できることを特徴とする介護用映像監視システム。
【発明の詳細な説明】
【技術分野】
【０００１】  本発明は映像監視システムに関する
【背景技術】
【０００２】  従来の映像監視システムは（図１）に示す通り、監視対象を撮影する監視カメラ１の映像を送信装置２によって有線又は無線により監視室８に伝送し、該監視室においてその映像をシステム統合サーバ３によって映像記録装置４、表示装置５、プリンター６等に接続配信し、監視点から伝送された映像情報を該表示装置を介して監視員７が監視し、監視地点で発生した危険な状況もしくは監視指示項目、たとえば崖崩れ、不審者の進入等を発見し、関係者、もしくは関係機関に危険もしくは警告を通報するものである。【０００３】  複数の監視地点の映像情報が集められる該監視室においては、該監視員が複数の監視点の映像を一度に監視できるように複数の表示装置または単一の表示装置の画面を分割（特許文献２）するなどして、全ての監視点の映像を常時表示させたり、単一もしくは複数の表示装置に複数点の監視点の映像を一定時間で切り替えて表示する表示装置が設置されており前記監視員は表示装置の映像によって監視を続け、監視項目である異常や危険等を見つけ出し、発見した時は前もって決められた場所、人に通報する。また該映像記録装置では常時伝送された映像を記録し続ける。【０００４】  この監視員の機能すなわち監視カメラからの映像を見て異常や危険等を判定し通報する機能を映像解析システムを使って置換えようとする試みも行われている。（ａ）モーションディテクター検知システム即ち映像のフレーム間の変化を検出して判定する方式、（ｂ）映像の変化領域の面積と移動速度から異常を検出するシステム、（ｃ）映像のピクセル集合のベクトルを算出することによって検出して判定する方法即ちオプティカルフロー検知システムなどが揚げられる。【０００５】（ａ）は現在最も一般化している検知システムであるが、どのような物の映像変化でも同じように検出する、すなわち映像物体の識別はしない。（ｂ）は映像の変化領域の連続性と縦横比などから人物、自動車などの識別をして検出するため映像中の他の動くもの例えば草木のゆれとの区別が出来る。しかし重なり合った複数の人物や人物の特定な行動、例えば人物が手を上げていたり横になっていたりする状態の判定は出来ない。（ｃ）については最近開発された方法で土砂崩れ、河川の流量を計測できるシステムに利用されているが、監視カメラが揺れたり映像内で動き廻る物体例えばカメラのレンズに滴が這うとか虫が這う等が有るときには誤動作が予想される。また観測対象である河川の流れの筋が変わってしまった時などはシステムの設定し直しも必要になる。
【特許文献１】  特許公開平１０−２９４９３３
【特許文献２】  特許公表２００４−５２２３７９
【非特許文献１】ティーハン  リュー、バラック  オザー、ウエイン  ウォルフ“スマートカメラシステム  デザイン”電気電子学会収録集ＰＶ２００２号  ２００２年  Ｔｉｅｈａｎ  Ｌｖ，  Ｂｕｒａｋ  Ｏｚｅｒ，ａｎｄ  Ｗａｙｎｅ  Ｗｏｌｆ、“Ｓｍａｒｔ  Ｃａｍｅｒａ  Ｓｙｓｔｅｍ  Ｄｅｓｉｇｎ，”ｉｎ  Ｐｒｏｃｃｅｅｄｉｎｇｓ，ＰＶ２００２，ＩＥＥＥ，２００２．
【非特許文献２】ウエイン  ウォルフ、バラック  オザー、ティーハン  リュー“スマートカメラを付加したシステム”電気電子学会コンピュータ部会  ３５（９）号  ２００２年  Ｗａｙｎｅ  Ｗｏｌｆ、Ｂｕｒａｋ  Ｏｚｅｒ，Ｔｉｅｈａｎ  Ｌｖ，“Ｓｍａｒｔ  Ｃａｍｅｒａｓ  ａｓ  ｅｍｂｅｄｄｅｄ  ｓｙｓｔｅｍ，”ＩＥＥＥ  Ｃｏｍｐｕｔｅｒ，３５（９）Ｓｅｐｔｅｍｂｅｒ  ２００２，
【発明の開示】
【発明が解決しようとする課題】
【０００６】  複数の監視点の映像を一つ一つ表示装置に表示させ監視員が常時監視を続け、異常事態や危険な状態等の発生を発見するには長時間継続的に注意を続けなければならず該監視員の根気を必要とし、見落とす危険性は大きい。さらに一人で複数の表示装置を監視する場合には体力的、精神的に負荷の多さによる監視の見落としは避けられない。この監視の見落としをなくし、さらには該監視員の負荷を軽減し、正確にそして迅速に該映像の中の異常事態や危険な状態等の発生を見つけ出すことができれば被害等を最小限に抑えることができる。また記録装置には従来は送られてきた複数の該監視カメラからの映像をほとんど全部記録しているが、映像対象のプライバシーが侵害されて問題化していること及び大容量の記憶媒体例えばビデオテープ等を幾つも必要とし、該記憶媒体等の費用と交換の手間もかかっている。また複数の監視カメラからの映像伝送には混信を避けるため符号化パターン等、例えば擬似雑音符号を用いたスペクトラム拡散により変調する変調部を含む装置により広帯域を持つ信号の送信に見合う伝送経路を必要とするが、これらの伝送経路施設にかかるコスト及び関連装置のコストも高価であった。また該監視員に代わって映像解析システムを使った監視のための自動判定方法が試みられて来たが、その判定にはまだ欠点を含んでおり満足できていない。従って該監視員の負荷軽減にまで至っていない。【０００７】  本発明は監視員即ち人間が行っていた長時間の監視作業から開放し、監視カメラによるプライバシーの侵害の問題をほとんど無くし、同時に監視カメラ等からの映像を記録する時間を大きく減少させることができる。
【課題を解決する為の手段】
【０００８】  上記課題を解決するために、スマートカメラシステム即ち映像解析システムの技術
【非特許文献１】
【非特許文献２】を移植したコンピュータシステムを該映像監視システムに加え知的な映像監視システムを構築することにより達成できる。すなわち該監視映像の中の監視対象物の部分部分の動きや状態、例えば人物であれば手、足、顔、胴の動きや手を上げているとか床に横になっている等の状態とか、自動車本体と積み荷等が一緒の状態から積み荷を置いて別々になった状態、人が持っていた物を置き忘れた場合の状態、また荒れた川等の流れと飛沫のごとき各部分ごとの動きや状態等を解析し、あらかじめ問題となる状態即ち異常事態や危険な状態等を想定し該システム内に記憶されたそれぞれ各部分のパターンと比較し判定し危険等の結論を出す機能と、その結果異常や危険と判断された時には当該映像と共に「危険」の表示や「警告」の表示を該監視映像と共に重ねてもしくは別々に表示する機能、さらにはその危険等の情報を関係者や関係機関に自動でおくる機能を持った知的な映像監視システムを構築することにより達成できる。
【発明の効果】
【０００９】  本発明は次のような効果をもたらす。監視員に代わって行う前記スマートカメラシステム即ち知的映像解析システムを該映像監視システムに含むコンピュータシステムに移植（インストール）し利用することにより、監視地点の映像の分析によって異常事態や危険な状態であることを判定し危険等と判断した時には該表示装置に該映像の表示と共に危険等の通報を単独もしくは該表示内に自動で行い、さらにあらかじめ決められた通報先にも通報する。従って該監視員が常時表示装置を監視する必要がなくなり、かつ監視項目の見落としも解決できる。
【００１０】  大容量を必要とした記憶媒体については、前記スマートカメラシステムすなわち知的映像解析システムによって危険等を判定した時点の一定時間前の映像から表示、記録を行うことで、必要とする記録容量は非常に少なくて済む経済効果が期待できる。同様な効果を期待した映像システム
【特許文献１】もあるが、異常であるとする情報は別に設置された異常検出手段を持ちそこからの情報を使っており異常通報後に該当する映像を選択することが必要であった。  さらに本システムによれば記録映像が時間的にも場所的にも限定されるので、監視カメラによるプライバシーの侵害にもほとんど抵触せずに済む。
【００１１】  前記スマートカメラシステムすなわち知的映像解析システムを移植したコンピュータシステムを監視室側から監視カメラの側に設置することにより、監視地点で危険等の事象が発生した時に監視カメラ側で異常事態や危険な状態等の判定がなされ、該監視カメラから該映像を監視室側へ伝送すれば良く、複数台の監視カメラ設置にもかかわらず伝送にかかる装置や送電線等の容量は少なくなりその設備コストは低く押さえられる。もちろん監視室側からはいつでも監視カメラの映像をモニターできることは言うまでもない。
【００１２】  該監視カメラ側にコンピュータシステムの機能等を付属させることにより前記（００１１）の内容はもちろんのことだが、映像をインターネット回線等の常時接続の比較的安い映像伝送が可能であることも言うまでもない。このインターネット回線は電話回線の利用や無線通信回路を利用できることから該映像監視システムのための送受信設備の構築の必要性がなくなり設備設置にかかる費用が少なくて済む。
【００１３】  該監視カメラの役割をカメラ機能付携帯電話に置き換えることもできる。監視カメラの機能を持ち小型で安価になり（００１２）の効果と同様にその通信手段が電話回線を利用できるので安価である。しかし常時通話の状態では通話費用が高くかかるので、通常は通話状態にせずに（００１２）に記したごとく監視カメラ側即ち監視地点側に設置した該コンピュータシステムに接続しておき、該カメラ機能つき携帯電話からの映像を送り続け該コンピュータシステム内での該映像を判定し、危険等と判断した時に該監視室へ映像等の送信を行うが、そのために電話回線を自動で立ち上げて使用することで通信費用を安く抑えられる。
【００１４】  該監視地点の選択は危険等の発生が考えられる地点を選ぶために通信設備を設置できない所例えば山間地の奥深い場所等にも設置の必要が出てくる。設置場所はこの映像監視システムの重要な情報元でもある。該監視カメラにＧＰＳ装置を付帯設置することによって監視カメラを設置した地点が判る。この地理的位置情報を送信回線で映像と共に該監視室に送ることにより前記困難な場所への監視カメラ設置問題を解決できる。当然ではあるがＧＰＳ装置の付属設置は監視カメラの設置位置を表示するものとしての利点は通常の監視カメラの映像監視システムにも利用できることは言うまでもない。
【発明を実施するための最良の形態】
【実施例１】
【００１５】  図２はすでに据え付けてある映像監視システムにスマートカメラシステム即ち知的映像解析システムを移植したコンピュータシステム２１０を映像送信装置２と該システム統合サーバ３の間に接続し、監視映像の中の監視対象物の各部分の動きや状態を監視することができる追加型映像監視システムを提供する。（図３）は本発明の実施例を示す。複数の地点に設置された監視カメラ１等からの監視映像を送信装置２を介し、監視室８のスマートカメラシステム即ち知的映像解析システムを移植したコンピュータシステム３１０に送られ、そこで映像解析された映像情報をシステム統合サーバ３０３に入力し、表示装置５、プリンター６、映像記録装置３０４に送信し映像等を表示、印刷、記憶させる。該コンピュータシステム２０１にて該映像を解析し危険等と判定した場合には該映像は表示装置５に警報と共に表示され、警報出力装置３１１を自動もしくは監視員３０７の操作によって必要な部門に伝達される。
【実施例２】
【００１６】  図４は本発明による映像監視システムの構成に関し監視地点で危険等の判断をさせるための装置の組み合わせを説明するためのものである。スマートカメラシステム即ち知的映像解析システムの移植されたコンピュータシステム４１０を監視地点４０９にある監視カメラ１に付属させ、あらかじめ設定された動きや状態のパターンと監視映像から得られた知的映像解析システムの解析結果と比較し、監視の条件を満たした時には危険等と判定を下す機能と判定した時点より前の任意の時間からの映像を伝送回路である送信装置２で監視室８に送信する機能を監視地点側で行わせ、該監視映像を受けた監視室８ではシステム統合サーバ４０３により表示装置５に表示させ、同時に映像記録装置４０４にて記録し、警報を自動警報出力装置４１１から所定の宛先（図４では監視員及び関係者の携帯電話を示している）へ送り必要によりプリンター６で画像の任意部分を印刷する等の機能を具備するフロントエンド処理型の映像監視システムを示す。【００１７】  図５は監視地点の監視カメラに代えてＧＰＳ装置２１００を付属したカメラ付き携帯電話に置き換えかつ電源装置２４００例えば太陽電池等付属せしめた例を示す。監視地点の該携帯電話にスマートカメラシステム即ち知的映像解析システムを移植したコンピュータシステム５０１を付属させフロントエンド処理型映像監視システムを構成し映像等の各監視点情報は電話回線を利用して送られる。（００１６）の発展型としてＧＰＳ装置２１００によって監視カメラ１等の設置された位置情報が該監視点映像情報と共に監視室８側に送信されることにより危険等の発生地の地理的な情報の付いた警報が出せる。自然災害特に土石流災害やがけ崩れ等の監視では通信設備の無いか又は設置困難な場所を選択することが多いので、ＧＰＳ装置２１００と電源装置２４００を該携帯電話に付属させ映像送信時には常にカメラ設置地点の位置情報を付けて送信する映像監視システムを示す。図４における監視カメラに各々ＧＰＳ装置を付属させても同様に映像情報に加えて位置情報も同時に送ることができ同様の効果が得られる。【００１８】  以上の通り映像監視システムではシステムを動かす電源につき通常の商用電源の使用はもとより、太陽電池などの自家発電装置の付属により監視地点即ち監視カメラの設置場所もより自由に広範囲に選択できる効果があり電源装置が商用電源だけでなくても良いことを示している。【００１９】  図６、図７はスマートカメラシステムとモーションディテクターシステムを理解するためのもので、図６は顔６１００、手６２００、胴体６３００を認識し各部分の動きを分析して動きや動作の状態を監視しようとするもので、次のフレームにおける各部分の位置等その解析方法を示す。図７は従来の映像情報による動きを解析する方法を示し、映像の中の動く物を一体として判定する方法で物体像７４００が次の場面の物体像７５００の位置に移動したことを解析して判定し、動くものの存在を確認し警報等の通知を出す情報に利用する。
【図面の簡単な説明】
【００２０】
【図１】  現行の映像監視システムを表す説明図
【図２】  既設映像監視システムにスマートカメラシステム即ち知的映像解析システムを移植したコンピュータシステムを追加した説明図
【図３】  スマートカメラシステム即ち知的映像解析システムを移植したコンピュータシステムを含む映像監視システム説明図
【図４】  フロントエンド即ち監視地点にスマートカメラシステム即ち知的映像解析システムを移植したコンピュータシステムを設置した映像監視システムの説明図
【図５】  ＧＰＳ装置とカメラ装置付き携帯電話利用の映像監視システムの説明図
【図６】  スマートカメラシステム即ち知的映像解析システムの原理の説明図
【図７】  モーションディテクター検知システムの原理の説明図
【符号の説明】
【００２１】      １    監視カメラ
２    送信装置
３    システム統合サーバ
４    映像記録装置
５    表示装置（単数、複数）
６    プリンター
７    監視員
８    監視室
２１０    スマートカメラシステムを移植したコンピュータシステム
３０３    システム統合サーバ
３０４    映像記録装置
３１０    スマートカメラシステムを移植したコンピュータシステム
３０９    監視地点
３１１    警報装置
４０３    システム統合サーバ
４０４    映像記録装置
４０９    監視地点
４１０    スマートカメラシステムを移植したコンピュータシステム
４１１    自動警報出力装置
４１２    携帯電話等警報受信装置
４１３    監視員もしくは関係者
５０３    システム統合サーバ
５０４    映像記録装置
５１０    スマートカメラシステムを移植したコンピュータシステム
５１１    自動警報出力装置
５１２    携帯電話等警報受信装置
５１３    監視員もしくは関係者
２００１    カメラ付き携帯電話
２１００    ＧＰＳ装置
２２００    携帯電話回線
２３００    受信装置
２４００    電源装置
６１００    スマートカメラシステム即ち知的映像解析システム解析結果の顔部
６１０１    スマートカメラシステム即ち知的映像解析システムによる解析結果の顔の移動位置
６２００    スマートカメラシステム即ち知的映像解析システム解析結果の手部
６２０１    スマートカメラシステム即ち知的映像解析システムによる解析結果の手の移動位置
６３００    スマートカメラシステム即ち知的映像解析システム解析結果の胴部
６３０１    スマートカメラシステム即ち知的映像解析システムによる解析結果の胴の移動位置
７４００    モーションディテクター解析方法の説明図
７５００    モーションディテクター解析対象の移動を説明する図
【図１】
2006287883.tif 000003
【図２】
2006287883.tif 000004
【図３】
2006287883.tif 000005
【図４】
2006287883.tif 000006
【図５】
2006287883.tif 000007
【図６】
2006287883.tif 000008
【図７】
2006287883.tif 000009